(57)【要約】【課題】スリムで高性能なアンテナを提供する。【解決手段】少なくとも，偏波の方向に対して平行する方向に短辺を有し偏波面の方向に対して直交する方向に充分に長い長辺を有する略四角形状に形成された放射器と反射器を備えるアンテナにおいて，前記放射器は，それぞれ長さが異なる３つのスケルトンスロットアンテナの内の，最も内側に位置して長さが短いスケルトンスロットアンテナの上下の短辺と，最も外側に位置して長さが長いスケルトンスロットアンテナの左右の長辺とを垂直に連設する連設体を備えることによって，中間に位置して長さが中間となるスケルトンスロットアンテナは，その短辺が，同じ組のなかで最も内側に位置するスケルトンスロットアンテナの上下の短辺と共通とし，その長辺が，同じ組のなかで最も外側に位置するスケルトンスロットアンテナの左右の長辺の一部と共通とするように構成した。【選択図】  図１
2012028829.tif 000002
【特許請求の範囲】
【請求項１】
アンテナの放射器において，
前記放射器は，ループアンテナを同一平面上に１８０°対向させて構成した第１のスケルトンスロットアンテナと，この第１のスケルトンスロットアンテナの内側に備えられ，前記第１のスケルトンスロットアンテナよりループ長が順次短くなるように形成された少なくとも２つのスケルトンスロットアンテナとを備え，しかもこれらのスケルトンスロットアンテナの形状は，偏波の方向に対して平行する方向に短辺を有し，偏波面の方向に対して直交する方向に充分に長い長辺を有し，前記ループアンテナ同士の接続部に設けられる一対の給電点を結ぶ軸線を対称軸とする略四角形状に形成されており，
前記複数のスケルトンスロットアンテナの内の，隣り合って連続する長さの異なる３つのスケルトンスロットアンテナを一組としたときに，同じ組のなかで最も内側に位置して長さが短いスケルトンスロットアンテナの上下の短辺と，最も外側に位置して長さが長いスケルトンスロットアンテナの左右の長辺とを垂直に連設する連設体を備えることによって，同じ組のなかで中間に位置して長さが中間となるスケルトンスロットアンテナは，その短辺が，同じ組のなかで最も内側に位置するスケルトンスロットアンテナの短辺と共通とし，その長辺が，同じ組のなかで最も外側に位置するスケルトンスロットアンテナの長辺の一部と共通とするように構成したことを特徴としたアンテナ。
【請求項２】
少なくとも放射器と反射器とからなるアンテナにおいて，
ループアンテナを同一平面上に１８０°対向させて構成した第１のスケルトンスロットアンテナと，この第１のスケルトンスロットアンテナの内側に備えられ，前記第１のスケルトンスロットアンテナよりループ長が順次短くなるように形成された２つのスケルトンスロットアンテナとを備え，しかもこれらのスケルトンスロットアンテナの形状は，偏波の方向に対して平行する方向に短辺を有し，偏波面の方向に対して直交する方向に充分に長い長辺を有し，前記ループアンテナ同士の接続部に設けられる一対の給電点を結ぶ軸線を対称軸とする略四角形状に形成されており，
前記それぞれ長さが異なる３つのスケルトンスロットアンテナの内の，最も内側に位置して長さが短いスケルトンスロットアンテナの上下の短辺と，最も外側に位置して長さが長いスケルトンスロットアンテナの左右の長辺とを垂直に連設する連設体を備えることによって，中間に位置して長さが中間となるスケルトンスロットアンテナは，その短辺が，同じ組のなかで最も内側に位置するスケルトンスロットアンテナの上下の短辺と共通とし，その長辺が，同じ組のなかで最も外側に位置するスケルトンスロットアンテナの左右の長辺の一部と共通とするように構成された放射器と，
前記放射器の後方に対向するように備え，該放射器がなす平面の投影面の外形と同じか僅かに大きく形成された反射器と，からなることを特徴としたアンテナ。
【請求項３】
前記反射器は，前記放射器がなす平面の投影面の外形と同じか僅かに大きく形成された第１の反射器と，該第１の反射器を挟んで両長辺側を夫々前記放射器方向に折曲部において折り曲げ形成した第２の反射器と，反射器の長辺方向に延びるように形成された複数の開口窓であって，前記第１の反射器の長辺に平行する軸線に直交する線上に，該開口窓の長手方向の中心点を夫々一致させるように平行配置した複数の前記開口窓を１組として，前記第１の反射器の長手方向の軸線に沿って複数組備えられた開口窓を備え，
しかも前記第１の反射器の短辺と該第１の反射器の両側に配置する前記第２の反射器の短辺の合計寸法が使用周波数における最大周波数の０．４５から１．２波長となるように形成されると共に，平行配置された１組の開口窓の配列方向の寸法であって，前記第２の反射器の短辺の合計寸法と，前記折曲部と前記開口窓の内の最も外側に配置された前記開口窓の折曲部側に位置する長辺との間の寸法の合計と，隣り合う開口窓の相対向する長辺の間の寸法の合計と，全開口窓の全周の合計の略２分の１の寸法と，の総合計寸法が使用周波数における最小周波数の０．４５から１．２波長となるような開口寸法で形成された前記開口窓を備えてなることを特徴とした請求項２に記載のアンテナ。
【請求項４】
前記アンテナの使用周波数はＵＨＦ帯であるように構成したことを特徴とした請求項２または請求項３の何れか一項に記載のアンテナ。
【発明の詳細な説明】
【技術分野】
【０００１】
本発明は，主にテレビ受信に利用されるアンテナに関し，詳しくはＵＨＦ帯のテレビ電波を受信するＵＨＦアンテナの構成に関する。
【背景技術】
【０００２】
従来，複数のループ状アンテナを同一平面上に重ならないように配置すると共に，それらループ状アンテナを電気的に並列接続されたアンテナが提案されている。
（例えば，特許文献１参照）
【０００３】
【特許文献１】実開昭５９−１７４７０８号公報
【発明の開示】
【発明が解決しようとする課題】
【０００４】
ところで，現在の地上テレビ放送は，２０１１年に完全にデジタル放送に移行に向けて，地上アナログ放送と地上デジタル放送のサイマル放送が行われている。特に，地上デジタル放送は，一定レベル以上の電波を受信できれば，デジタル放送の持つその優れた特性によって，綺麗な画像を受信することが出来ることから，従来のアナログ放送受信用アンテナで一般的であった八木・宇多式アンテナばかりでなく，ベランダでも屋内であっても簡単に取付ができ，しかも邪魔にならないような小型，軽量で且つ安全性，デザイン性にも優れ，しかも，地上アナログ放送にも好適なアンテナが求められるようになった。
その一例として，例えば，アンテナの放射器を，八木・宇多式アンテナのように棒状エレメントで構成したダイポール素子の変わりに，上記従来例に示すループアンテナを用いて構成し，それに対向させて後方に配置される反射器を，前記ループアンテナに合わせて最適化した反射板付平面アンテナを形成すれば，アンテナの前後方向の寸法を短くでき，ベランダにおいても邪魔にならないアンテナが提供できる。しかも，ループアンテナをケース体で覆えば，八木・宇多式アンテナのように棒状エレメントの端面が剥き出しで突出するようなことがないので，ベランダに設置しても安全である。
【０００５】
しかし，このように構成されたアンテナを，地上デジタル放送を含むＵＨＦ帯の信号の受信に使用する場合は，その使用周波数帯である４７０ＭＨｚから７７０ＭＨｚにわたる帯域の，その全域において良好な電気的特性を有するように構成する必要がある。そのためには放射器であるループアンテナの設計が重要となるのであるが，従来のような構成のアンテナのままでは広帯域特性を備えさせる事は困難であると言った問題があった。
更に，放射器の後方側に備える反射器は，効率よく電波を反射するために，一般的に放射器の投影面より大きな投影面を持つように構成される場合が多く，アンテナの小型化に影響を与える要素となっていた。
そこで本発明に係るアンテナは上記問題を解決するためになされたものであり，
その目的は，広帯域に亘って特性のよいアンテナを提供することを課題とする。
他の目的は，簡単な構成で広帯域に亘る高性能化できるアンテナを提供することを課題とする。
他の目的は，小型でスリムなアンテナを提供することを課題とする。
他の目的は，簡単な構成で，しかも，生産性の良いアンテナを提供することを課題とする。
他の目的は，地上デジタル放送受信用として好適なアンテナを提供することを課題とする。
【課題を解決するための手段】
【０００６】
上記課題を解決するために，請求項１の発明は，アンテナの放射器において，前記放射器は，ループアンテナを同一平面上に１８０°対向させて構成した第１のスケルトンスロットアンテナと，この第１のスケルトンスロットアンテナの内側に備えられ，前記第１のスケルトンスロットアンテナよりループ長が順次短くなるように形成された少なくとも２つのスケルトンスロットアンテナとを備え，しかもこれらスケルトンスロットアンテナの形状は，偏波の方向に対して平行する方向に短辺を有し，偏波面の方向に対して直交する方向に充分に長い長辺を有し，前記ループアンテナ同士の接続部に設けられる一対の給電点を結ぶ軸線を対称軸とする略四角形状に形成されており，
前記複数のスケルトンスロットアンテナの内の，隣り合って連続する長さの異なる３つのスケルトンスロットアンテナを一組としたときに，同じ組のなかで最も内側に位置して長さが短いスケルトンスロットアンテナの上下の短辺と，最も外側に位置して長さが長いスケルトンスロットアンテナの左右の長辺とを垂直に連設する連設体を備えることによって，同じ組のなかで中間に位置して長さが中間となるスケルトンスロットアンテナは，その短辺が，同じ組のなかで最も内側に位置するスケルトンスロットアンテナの短辺と共通とし，その長辺が，同じ組のなかで最も外側に位置するスケルトンスロットアンテナの長辺の一部と共通とするように構成した。
【０００７】
請求項２の発明は，少なくとも放射器と反射器とからなるアンテナにおいて，
ループアンテナを同一平面上に１８０°対向させて構成した第１のスケルトンスロットアンテナと，この第１のスケルトンスロットアンテナの内側に備えられ，前記第１のスケルトンスロットアンテナよりループ長が順次短くなるように形成された２つのスケルトンスロットアンテナとを備え，しかもこれらスケルトンスロットアンテナの形状は，偏波の方向に対して平行する方向に短辺を有し，偏波面の方向に対して直交する方向に充分に長い長辺を有し，前記ループアンテナ同士の接続部に設けられる一対の給電点を結ぶ軸線を対称軸とする略四角形状に形成されており，
前記それぞれ長さが異なる３つのスケルトンスロットアンテナの内の，最も内側に位置して長さが短いスケルトンスロットアンテナの上下の短辺と，最も外側に位置して長さが長いスケルトンスロットアンテナの左右の長辺とを垂直に連設する連設体を備えることによって，中間に位置して長さが中間となるスケルトンスロットアンテナは，その短辺が，同じ組のなかで最も内側に位置するスケルトンスロットアンテナの上下の短辺と共通とし，その長辺が，同じ組のなかで最も外側に位置するスケルトンスロットアンテナの左右の長辺の一部と共通とするように構成された放射器と，
前記放射器の後方に対向するように備え，該放射器がなす平面の投影面の外形と同じか僅かに大きく形成された反射器と，からなるように構成した。
【０００８】
請求項３の発明は，請求項２に記載のアンテナにおいて，前記反射器は，前記放射器がなす平面の投影面の外形と同じか僅かに大きく形成された第１の反射器と，該第１の反射器を挟んで両長辺側を夫々前記放射器方向に折曲部において折り曲げ形成した第２の反射器と，反射器の長辺方向に延びるように形成された複数の開口窓であって，前記第１の反射器の長辺に平行する軸線に直交する線上に，該開口窓の長手方向の中心点を夫々一致させるように平行配置した複数の前記開口窓を１組として，前記第１の反射器の長手方向の軸線に沿って複数組備えられた開口窓を備え，
しかも前記第１の反射器の短辺と該第１の反射器の両側に配置する前記第２の反射器の短辺の合計寸法が使用周波数における最大周波数の０．４５から１．２波長となるように形成されると共に，平行配置された１組の開口窓の配列方向の寸法であって，前記第２の反射器の短辺の合計寸法と，前記折曲部と前記開口窓の内の最も外側に配置された前記開口窓の折曲部側に位置する長辺との間の寸法の合計と，隣り合う開口窓の相対向する長辺の間の寸法の合計と，全開口窓の全周の合計の略２分の１の寸法と，の総合計寸法が使用周波数における最小周波数の０．４５から１．２波長となるような開口寸法で形成された前記開口窓を備えてなるように構成した。
【０００９】
請求項４の発明は，請求項２または請求項３の何れか一項に記載のアンテナにおいて，前記アンテナの使用周波数はＵＨＦ帯であるように構成した。
【発明の効果】
【００１０】
請求項１または請求項２によれば，本発明の実施例に係る放射器は，順次長さが異なるスケルトンスロットアンテナを，その中心点を一致させるようにして，少なくとも３つ備えており，最も内側に位置して長さが短いスケルトンスロットアンテナの上下の短辺と，最も外側に位置して長さが長いスケルトンスロットアンテナの左右の長辺とを垂直に連設する連設体を備えることによって，最も外側に位置するスケルトンスロットアンテナと，最も内側に位置するスケルトンスロットアンテナに加え，それらの放射素子の一部もしくは全部を使って構成された，中間に位置するスケルトンスロットアンテナを備えるように構成したことによって，極めて簡略化された３重ループが，簡単な方法でもって構成することができる。
しかも，中間のスケルトンスロットアンテナのほとんどを，外側及び内側のスケルトンスロットアンテナを構成する放射素子と共有化する，といった簡略化された構成であっても，外側の放射素子から内側の放射器にいたる少なくとも３つのスケルトンスロットアンテナを備えさせたことによって，例えば，それぞれの放射素子を，使用周波数帯域における低域側，中域，広域側に対応させることができ，このため，放射器のさらなる広帯域化が実現できる。更に，また，３つのスケルトンスロットアンテナが連設体を介して相互に接続されていることによって，隣り合うスケルトンスロットアンテナの相互間の近設配置による影響で，それぞれが相互に干渉して特性が悪くなるといたことも防げるのである。
【００１１】
また，上記連設体も，他のスケルトンスロットアンテナと同様に，金型等の打ち抜き成形によって一体的に形成されればよく，しかも，上述したように，前記連設体を備えさせるだけで，中間に位置するスケルトンスロットアンテナが形成されることで，放射器の構成が極めて簡略化されることから，本発明の実施の形態に係る放射器によれば，金型の構造が簡単になりコストダウンが図ることができると共に，放射器がごく薄い薄板材を使った打ち抜き成型で構成されていても，生産における歩留まりを悪くする要因とはならない。
加えて，薄板を打ち抜き成型し，線幅の狭い放射素子を使って本発明のような多重ループを有した放射器を構成しても，その構成が簡略化されたことによって，放射器の生産現場から生産工場への移動，生産工程上における移動等において，放射器の変形等が発生する要因を減らし，それによって部品としての放射器の不良の発生を無くす事ができるばかりでなく，延いては，製品としての歩留まりの向上，電気的特性の安定化が図れる。
更に，放射器の構成を簡略化したことによって，放射器を，例えば樹脂材からなる化粧ケースに収納する場合，放射器をケース内に安定した姿勢で固定するための固定手段を減らすことができることから，組み付け作業工数を低減することができる。
更に加えて，上述のように化粧ケース内に収納されていて，ケースが風などによって振動するような場合であっても，ケースの振動に伴って放射器が振動して，放射器が異状な音などの発生をすることのないようにするための固定手段が少なくでき，また，その配設位置も簡略化できるので，この点においても組み付け作業工数を低減することができる。
【００１２】
請求項３によって示される構成のアンテナによれば，反射器を前記放射器の外形と同じか僅かに大きい形状で構成し，更にこの反射器には，受信する信号の偏波に直交する方向に長手方向を有する開口窓を所定数形成することによって，反射器の外形寸法が放射器と同じか僅かに大きい形状であっても電気的特性を劣化させることがないので，アンテナの形状を小さく，しかも，スマートにできる。また，反射器に複数の開口窓が形成されることによって反射器自体の重量が軽くなると言った効果も有することとなり，この反射器を用いたアンテナは高性能な特性を維持しつつ小型化および軽量化が実現できる。
また，このアンテナの放射器と反射器を，偏波の方向に対して平行する方向に短辺を有し偏波面の方向に対して直交する方向に充分に長い長辺を有する外形略四角形状に構成したので，極めてスリムであっても電気的特性のよいアンテナを提供できる。しかも，スリム化によりアンテナの周囲に突設する部分が殆どなくなるので，小型軽量化に加えて，更に設置の省スペース化が可能となるし，八木・宇多式アンテナのようにエレメントの端面が露出していないので，安全性の良いアンテナが提供できる。
【００１３】
そして請求項４に示される構成のように，このアンテナをＵＨＦ帯に対応するように構成すれば，屋内であってもアンテナ支柱への取付けであっても，壁面やベランダ等への取付けであっても，設置場所を選ばずに簡単に取付けができる地上デジタル放送受信用に適したＵＨＦアンテナを提供することができる。
【発明を実施するための最良の形態】
【００１４】
以下に，本発明を具体化した実施形態の例を，図面を基に詳細に説明する。
図１は本発明に係るアンテナを構成する放射器の概略構成であり，（ａ）は正面図であリ，（ｂ）は３つの放射素子の存在を示すための概略図である。図２は本発明に係るアンテナの実施形態を示す概略斜視図であり，（ａ）は正面側から見た斜視図であり，（ｂ）は背面側から見た斜視図である。図３は本発明に係るアンテナを構成する反射器を拡大したものであり，（ａ）は正面図，（ｂ）は背面図，（ｃ）は右側面図，（ｄ）は上面図を示す。図４（ａ）は反射器の一部を破断した背面部分拡大図であり，（ｂ）は上面拡大図である。図５は本発明に係るアンテナの特性を示す。図６は本発明に係るアンテナの使用例を示す概略図である。
【００１５】
一般的に八木・宇田式アンテナにおいては，放射器と反射器の間隔は使用周波数の中心周波数の略４分の１波長の間隔が必要とされており，反射器の大きさとしては放射器に誘起される電流の主要分布範囲と同程度又はそれ以上必要とされている。さらに，利得を高くするためには，複数の導波器を備える必要があり，どうしても前後に長くなってしまう。従ってアンテナを小型化するためには，一番大きくなる反射器の外形を小さくしたり，反射器と放射器の間隔を狭めたりする必要が生じ，それに合わせるように放射器を最適化していく必要がある。また，導波器の数を減らすことを考える必要が生じる。しかしながら，反射器を小型化するにしろ，放射器と反射器の間隔を狭めるにしろ，アンテナが所定の電気的特性を維持したまま小型化するには夫々の最適化にも限界が生じる。また，単純な導波器の削減は利得の低下をまねく。
それに対して，以下に説明する本発明の実施形態にかかるアンテナは，受信する電波の偏波方向に平行に短辺を有し，偏波方向に直交する方向に充分長い長辺を有する縦長の放射器５０と反射器６０によって構成されるアンテナであり，本発明の発明人が最適化実験をすることによって得られた構成の一実施例を示すものである。尚，ここに示す例はＵＨＦ帯の信号を受信するように構成された実施例であり，特に実施例の周波数帯に限定されるものではない。
【００１６】
図１および図２に示されるように，放射器５０は，水平方向に直交する方向に略平行配置される側辺５１ｂ，５１ｃと，該側片５１ｂ，５１ｃの上下両端側に垂直に，前記側片５１ｂ，５１ｃによって挟むように配設される上辺５１ｄおよび下辺５１ｅからなる縦長四角形状に形成された，最も外側に位置する第１の放射素子５１としての，ループアンテナを同一平面上に１８０°対向させて構成したスケルトンスロットアンテナと，その第１の放射素子５１のループ内部にあって，その中心点を一致させて配設された，水平方向に直交する方向に略平行配置される側辺５２ｂ，５２ｃと，該側片５２ｂ，５２ｃの上下両端側から垂直に，前記側片５２ｂ，５２ｃを挟むように配設される上辺５２ｄおよび下辺５２ｅからなる縦長四角形状に形成された，最も内側にある第２の放射素子５２としてのスケルトンスロットアンテナを備えている。そして，第１の放射素子５１と第２の放射素子５２は，上下に配設されたループアンテナの接続部である夫々の側辺の略中央から，放射器５０の中心に向かって対向するように突設され，その先端部に一対の給電点５０ａ，５０ａを備える共通の中辺５０ｆによって接続されており，この第１の放射素子５１と第２の放射素子５２は，それぞれ一対の給電点５０ａ，５０ａを結ぶ軸線を対称軸とする縦長四角形状に形成された２つのスケルトンスロットアンテナが多重に配置した構成となっている。そして本発明の実施例におけるこの放射器５０は，薄板の金属体等からなる導電材料を，金型等で打ち抜き成型することによって一体的に形成されている。
【００１７】
加えて，本発明の実施例においては，中辺５０ｆと略平行にループの側辺５１ｂと側辺５１ｃとの間を接続するように備えられ，中辺５０ｆを挟んで放射器５０の上下対称となる位置にそれぞれ配設された連設部５５が形成されている。この連設部５５は，第１の放射素子５１の所定位置を接続することによって，第１の放射素子５１の広帯域化を実現することができる。
本発明の実施例における連設部５５は，図１に良く示されるように，第２の放射素子５２の上辺５２ｄおよび下辺５２ｅと重合される位置に設けられ，連設部５５の一部が，第２の放射素子５２の上辺５２ｄおよび下辺５２ｅと共通化されるように構成されている。即ち，本発明の実施例では，連設部５５は，前記第２の放射素子５２の短辺である，前記上辺５２ｄおよび下辺５２ｅと，前記第１の放射素子５１の長辺である，前記左右の側辺５１ｂ，５１ｃとを垂直に連設するように備えられた連設体５５ｄ，５５ｅと，第２の放射素子５２の上辺５２ｄおよび下辺５２ｅとから構成されることによって，その構成が簡略化されている。
【００１８】
更に，本発明の実施例における放射器５０は，このように構成された連設部５５を備えたことによって，連設部５５（言い換えれば，第２の放射素子５２の上下の短辺５２ｄ，５２ｅと連設体５５ｄ，５５ｅ）で上下の短辺を構成し，第１の放射素子５１の左右の長辺５１ｂ，５１ｃの一部を長辺５３ｂ，５３ｃとした，ループ長が第１の放射素子５１と第２の放射素子５２との間の中間の長さを有した第３の放射素子５３を備えるように構成されているのである。尚，図１（ｂ）は，上記３つの放射素子の存在を分かりやすくするための概略図であリ，図における５１が最も外側に位置する第１の放射素子，５２が最も内側に位置する第２放射素子，５３が中間に位置する第３の放射素子である。
【００１９】
また，第１の放射素子５１と第２の放射素子５２との近設配置による影響で，２つの放射素子が相互に干渉して特性が悪くなるのを防止するため，第１の放射素子５１と第２の放射素子５２との間の所定位置に，第１の放射素子５１と第２の放射素子５２を接続して短絡するショートバーを備えさせてもよい。このショートバーは，放射器５０の構成に合わせて，必要とする電気的特性が得られる所定の位置に設ければよいのであるが，本発明の実施例における放射器５０では，ショートバーを連設部５５と重合させる（つまり，連結体５５ｄ，５５ｅがショートバーになる）ことによって，特性の改善に加え，放射器５０の構成を簡略化することができる。
【００２０】
即ち，本発明の実施例に係る放射器５０は，最も外側に位置する第１の放射素子５１と，最も内側に位置する第２の放射素子５２に加え，その中間に位置する第３の放射素子５３とを備えた３重ループが，極めて簡略化された簡単な構成で持って実現されている。しかもそのような簡単な構成であっても，外側の放射素子から内側の放射器にいたる３つの放射素子を備えさせたことによって，それぞれの放射素子を，使用周波数帯域における低域側，中域，広域側に対応させることができ，このため，本発明の放射器５０のさらなる広帯域化が実現できる。
【００２１】
尚，上記連設体５５ｄ，５５ｅも，金型等の打ち抜き成形によって，第１の放射素子５１と第２の放射素子５２と一体的に形成されればよく，しかも，上記連設体５５ｄ，５５ｅを備えさせるだけで第３の放射素子５３が形成されるので，放射器５０の構成が極めて簡略化されることから，本発明の実施の形態に係る放射器５０によれば，金型の構造が簡単になりコストダウンが図れると共に，使用する材料である薄板材の打ち抜き成型であっても，生産における歩留まりが良くなる。
加えて，薄板を使っての線幅の狭い放射素子で多重ループからなる放射器５０を構成しても，その構成が簡略化され，しかもループを互いに連結したたことによって，放射器５０の生産現場から生産工場への移動，生産工程上における移動等において，放射器５０の変形等が発生する要因を減らすことで，放射器５０の不良の発生を無くす事がでるばかりでなく，延いては，製品の電気的特性の安定化が図れる。
更に，放射器５０の構成の簡略化は，放射器５０を，例えば後述する図５で示される樹脂材からなる化粧ケース９９に収納する場合において，放射器５０をケース９９内に安定した姿勢で固定するための固定手段の削減を生み，延いては，組み付け作業工数を低減することができる。
更に加えて，放射器５０の構成の簡略化によって，実際の使用において，化粧ケースが風などによって振動するような場合に，ケースの振動に伴って放射器が振動しても，該放射器から異状な音などの発生がないようにするための固定手段の配置位置を簡略化できるので，この点においても組み付け作業工数を低減することができる。
以上，本発明に係る放射器５０によれば，その構成が簡略化されていても，電気的にも優れた特性を有するばかりでなく，その構成の簡略化に伴って，生産性の向上やコストの削減が実現できる優れた作用を有する放射器５０が提供できるのである。
【００２２】
ここで放射器５０の具体的な寸法について説明する。第１の放射素子５１は，線幅１５ｍｍの金属導体で側片５１ｂ（５１ｃ）の長さ（図におけるＨ１１）が略５６０ｍｍ，上辺（下辺）の長さ（図におけるＷ１１）が略１００ｍｍの縦長四角形状となるように形成されている。第２の放射素子５２は，線幅５ｍｍの金属導体で側片５２ｂ（５２ｃ）の長さ（図におけるＨ２２）が略３００ｍｍ，上辺（下辺）の長さが略３０ｍｍの矩形となるように形成されている。そして，第１の放射素子５１と第２の放射素子とは，左右方向の内寸がそれぞれ略２０ｍｍとなるように離間するように配設されている。中辺５０ｆ，５０ｆは，突出寸法が第１の放射素子５１の側辺の内側から略３０ｍｍ，その幅は略１０ｍｍであり，その先端部には一対の給電点５０ａ，５０ａを有する。
本発明の第３の放射素子５３は，側片５３ｂ（５３ｃ）の長さ（図におけるＨ２２）が略３００ｍｍとなるように，側片５１ｂ（５１ｃ）の一部を共有して形成されており，上辺５３ｄ（下辺５３ｅ）の長さ（図におけるＷ１１）が，第２の放射素子５２の上辺５２ｄ（下辺５２ｅ）を共有して形成されており，略１００ｍｍである縦長四角形状となるように形成されている。
【００２３】
次に反射器６０について説明する。本発明の実施例に示される反射器６０は図２と図３に示されるように，前記放射器５０と対向する面が，該放射器５０がなす平面の投影面の外形と同じか僅かに大きく形成した縦長の外形略四角形状に形成された第１の反射板６１と，該第１の反射器６１を挟んで両長辺側を夫々前記放射器５０方向に折曲部６０ｂ，６０ｃにおいて折り曲げ形成した第２の反射器６２，６２と，前記第１の反射器６１に複数形成された，受信する電波の偏波方向に直交する方向（本発明の実施例では水平偏波の信号を受信するように構成されているので図に示される上下方向）に長手方向を有する開口窓６３（６３ａ，６３ｂ，・・・）から構成されている。本発明における開口窓６３は，第１の反射板６１の水平方向に７個平行配置したものを１組として，第１の反射器６１の上下方向に５組配列するように形成されている。
【００２４】
次にこの例に示される反射器６０の寸法について図４を用いて詳しく説明する。尚，図４（ａ）における第２の反射器６２は，以降の寸法の説明が明確になるように，第１の反射器６１と同一平面上になるように両側に開いた（つまり，折り曲げ成形する前の）状態で示されている。
第１の反射器６１は上述のように放射器５０がなす平面の投影面の外形と同じか僅かに大きく形成されているのであるが，第２の反射器６２，６２を含めた寸法は次の条件に当てはまるように形成されている。即ち，第１の反射器６１の短辺６１ｄ（図４（ｂ）に示されるＷ２２）と第２の反射器６２の短辺（図４（ｂ）に示されるＬ１５×２）の合計寸法（図に示す経路Ｒ２０の長さであり，第２の反射器６２の先端から先端までのコ字状に形成された反射器の寸法）が使用周波数における最大周波数の波長λ２の０．４５から１．２倍であるように構成されている。
【００２５】
また，平行配置された１組の開口窓６３の配列方向の寸法であって，前記第２の反射器の短辺寸法の合計（Ｌ１５×２）と，前記折曲部６０ｂ，６０ｃと前記開口窓の内の最も両外側に配置された開口窓（図における６２ａ，６２ｇ）の折曲部６０ｂ，６０ｃ側に位置する長辺との間の寸法の合計（Ｌ１３×２）と，隣り合う開口窓の相対向する長辺の間の寸法の合計（Ｌ１４×６）と，開口窓の全周の合計の略２分の１の寸法（７×（２×Ｌ１１＋Ｌ１２））と，の総合計寸法（即ち，図における経路Ｒ１０の長さ）が使用周波数における最小周波数の波長λ１の０．４５から１．２倍となるように，前記開口窓６３の開口寸法が形成されている。
これによると本発明の反射器６０は，第１の反射器５１の大きさが略５６０×１００ｍｍであり，開口窓の開口寸法は９５×７ｍｍである。また第２の反射器６２の短辺の寸法（Ｌ１５）は略４５ｍｍとなる。つまり，本発明にかかる反射器６０は，長辺が略５６０ｍｍ，短辺が略１９０（４５×２）ｍｍの大きさの薄板からなる金属体等の導電材料を，断面略コ字状に金型等で打ち抜き成型やプレス加工等で持って形成されている。
尚，開口窓の開口寸法，開口窓の形成数は一例を示すものであり，必要とする電気的特性が得られるのであれば，特に実施例に示されるものに限定されるものではない。
【００２６】
ここで本発明に係る反射器６０の効果について図５を用いて説明する。図５に示されるデータは，反射器６０の側辺の寸法は放射器５０の側辺の寸法（Ｈ１１）と同じである略５６０ｍｍに固定し，反射器６０の短辺側を変化させたり，開口窓６３を供えさせたりした場合の結果に基づいて説明している。
図５において反射器Ａで示されるのは，反射器の大きさが５６０×１９０ｍｍの，一般的にアンテナに使われる平板状，つまり，第２の反射器６２が第１の反射器６１と同一平面上になるように両側に開いた状態（折り曲げ形成する前の状態）であり，開口窓は形成されていない場合（経路Ｒ２０は平面状で直線となり，その寸法は１９０ｍｍとなる。）である時のデータである。つまり，反射器Ａは平板状に形成されている。
図５において反射板Ｂで示されるのは，平板状である反射板Ａの第１の反射器６１に当たる部分に，開口寸法が９５×７ｍｍである開口窓６３を，第１の反射板６１の水平方向に７個平行配置したものを１組として，第１の反射器６１の上下方向に５組配列した場合のデータである。この場合も反射器Ａの場合と同じで，経路Ｒ２０は直線となりその寸法は１９０ｍｍとなる。つまり，反射器Ｂは平板体に開口窓を形成したものである。
図５において反射器Ｃで示されるのは，本発明に係る実施例に示される反射器であり，図４（ｂ）によく示されるように，大きさが５６０×１９０ｍｍの平板体を，放射器５０の投影面とほぼ同じ大きさに形成され，前面に前記開口窓６３が設けられたた第１の反射器６１と，この第１の反射器６１の左右両端側から放射器５０方向に一体的に折り曲げ形成した第２の反射器６２とを備えるように断面略コ字状に形成したものである場合のデータである。この場合，経路Ｒ２０は直線ではなくコ字状に折り曲がっており，第１の反射器６１が１００ｍｍであり第２の反射器が４５ｍｍ×２であるから，そのコ字状の寸法が上記反射器Ａおよび反射器Ｂと同じ１９０ｍｍとなる。つまり，反射器Ｃは平板体をコ字状にすると共に，開口窓を備えさせるように形成されている。
【００２７】
本発明の主たる目的の一つは，アンテナの小型化およびスリム化であるが，中でも反射器はアンテナを構成するエレメントの中でも最も大きくなるため，その反射器の形状を小型化することは，アンテナの形状を小さくする上で極めて重要である。しかしながら図５に示される反射器Ａのように平板状のままで形状を小さくしても電気的特性が十分な値が得られない。つまり，反射器Ａは，本発明の放射器５０にとって小さすぎるのである。
そこで次に，反射器Ａの寸法はそのままで，第１の反射器６１に当たる部分（放射器５０の投影面に対向する部位分）に，本発明において示されている条件を満たす開口窓６３を形成した反射器Ｂを用いて電気的特性を測定すると，平板状の反射器Ａに比べて，動作利得においては高域の一部を除いて最大で約４ｄｂの改善が見られ，定在波比および前後比も高域を除いてほぼ全帯域で改善が見られる。半値角も低域の一部を除いてわずかに改善されている。つまり，本発明の放射器５０に対して平板状の反射器を小型に形成しても，上述した条件で形成された開口窓を備えることによって良好な電気的特性が得られことがわかる。
次に，反射器Ｂを本発明の実施例のように断面略コ字状に折り曲げ形成した反射器Ｃを用いて電気的特性を測定すると，動作利得においては高域ではわずかに利得が低下するものの，低域においては利得の改善が見られ，全帯域に亘って安定した動作利得が得られている。前後比においては反射器Ｂより劣化するものの，反射器Ａに比較しても全帯域に渡って改善が見られる。定在波比および半値角においては反射器Ｂよりさらに改善されていることが分かる。つまり，この反射器Ｃは，本発明の放射器５０を構成する第１の放射器５１の短辺と同じである略１００ｍｍで形成されていても，電気的特性の優れたアンテナを提供できる。
【００２８】
このように，本発明の実施形態の反射器６０は，反射器６０の正面から見た投影面が，放射器５０の正面から見た投影面（即ち，外形）と同じか僅かに大きい形状で構成すると共に，加えてこの反射器６０には，受信する信号の偏波に直交する方向に長手方向を有する開口窓６３を所定場所に所定数形成することによって，反射器６０の正面から見た投影面の寸法が，放射器５０と同じか僅かに大きい大きさであっても前後比やその他の電気的特性を劣化させることがないので，アンテナの形状を小さく，しかも，スリムにできる。また，反射器６０に複数の開口窓が形成されることによって反射器自体の重量が軽くなると言った効果も有することとなり，この反射器６０を用いて構成したアンテナは，高性能な特性を維持しつつ小型化および軽量化が実現できる。
また，上記のように構成された放射器５０と反射器６０は，偏波の方向に対して平行する方向に短辺を有し偏波面の方向に対して直交する方向に充分に長い長辺を有する外形略四角形状に構成することができ，スリムであっても電気的特性の優れたアンテナを提供できる。しかも，スリム化によりアンテナの周囲に突設する部分が殆どなくなるので，小型軽量化に加えて，更に設置の省スペース化が可能となる。また，八木・宇多式アンテナのように棒状エレメントの端面が剥き出しで突出するようなことがないので，何れに設置しても安全である。
【００２９】
このように構成された放射器５０と反射器６０は図６（ａ）に示すように化粧ケース９９の内部に所定の間隔を保持して収納されてアンテナ１００が形成される。尚，アンテナ出力端子１０１は前記化粧ケース９９の底部から下方に突設するように構成すればすっきりとした配線が可能になる。そして，このアンテナを屋内で使用する場合は図６（ｂ）に示されるようにアンテナ下部を支えるアンテナ支持台１０２を備えることで自立させることができる。尚，図に示される１０３は同軸ケーブルである。また図６（ｃ）に示されるように屋外に取付ける場合は，アンテナ方向調整機構付のアンテナ取付金具１０４を備えさせればよい。つまり，このアンテナ構成によれば断面形状が略正方形となるから，アンテナの前後に何も突出する部分がなくなり，屋内に設置しても場所を取らないし，ベランダに設置しても場所を取らずに簡単に取付けができる。また，特に壁面１０５に取付ければ突設寸法が極めて小さいことから目立たずスッキりと設置ができ壁面取付用として好適なアンテナとなる。
尚，本発明の実施例では放射器５０と反射器６０を構成する第２の反射器６２の先端との間隔は略３０ｍｍである。
【００３０】
そしてこのアンテナをＵＨＦ帯に対応するようにすれば，屋内であってもアンテナ支柱への取付けであっても，壁面やベランダ等への取付けであっても簡単に取付けができる地上デジタル放送受信用に適したＵＨＦアンテナを提供することができる。
尚，本発明は上記実施の形態に限定されるものではなく，化粧ケース内部に増幅器を内蔵するなど，本発明の趣旨を逸脱しない範囲で各部の構成を適宜に変更して実施することも可能である。
【図面の簡単な説明】
【００３１】
【図１】本発明に係るアンテナを構成する放射器の概略構成図であり，（ａ）は正面図であリ，（ｂ）は３つの放射素子の存在を示すための概略図である。
【図２】本発明に係るアンテナの施形態を示す概略斜視図であり，（ａ）は正面側から見た斜視図であり，（ｂ）は背面側から見た斜視図である。
【図３】本発明の実施例の反射器を拡大したものであり，（ａ）は正面図，（ｂ）は背面図，（ｃ）は右側面図，（ｄ）は上面図を示す。
【図４】（ａ）は反射器の一部を破断した背面部分拡大図であり，（ｂ）は上面拡大図である。
【図５】本発明に係るアンテナの特性を示す。
【図６】本発明に係るアンテナの具体的な使用例を示す。
【符号の説明】
【００３２】
５０…放射器，５０ａ…給電点，５０ｆ…中辺，５１…第１の放射素子，５１ｂ・５１ｃ…側辺，５１ｄ…（第１の放射素子の）上辺，５１ｅ…（第１の放射素子の）下辺，５２…第２の放射素子，５２ｂ・５２ｃ…側辺，５２ｄ…（第２の放射素子の）上辺，５２ｅ…（第２の放射素子の）下辺，５３…第３の放射素子，５３ｄ…（第３の放射素子の）上辺，５３ｅ…（第３の放射素子の）下辺，５５ｄ・５５ｅ…連設体，５５…連設部，６０…反射器，６０ｂ，６０ｃ…折曲部，６１…第１の反射器，６２…第２の反射器，６３…開口窓，９９…化粧ケース，１００…アンテナ，１０１…アンテナ出力端子，１０２…アンテナ支持台，１０３…同軸ケーブル，１０９…アンテナ取付金具。
【図１】
2012028829.tif 000003
【図２】
2012028829.tif 000004
【図３】
2012028829.tif 000005
【図４】
2012028829.tif 000006
【図５】
2012028829.tif 000007
【図６】
2012028829.tif 000008